(57)【要約】【課題】  この発明は、各建物におけるガス漏れを簡単かつ確実に自動的に検査することができるガス漏れ自動検査システムの提供を目的とする。【解決手段】  建物１におけるガスの圧力を測定する圧力計３と、作業者Ａが所持する端末装置４と、端末装置４とネットワークを介して通信可能なサーバ５とからなる。作業者Ａが圧力計によりガスの圧力を測定し、そのガスの圧力データを端末装置からサーバ５に送信する。サーバ５は、ガスの圧力データに基づいてガス漏れの判定を行い、そのガス漏れ判定結果を端末装置４に送信する。【選択図】  図１
2005043321.tif 000002
【特許請求の範囲】
【請求項１】
各建物におけるガスの圧力を測定する圧力計と、作業者が所持する端末装置と、前記端末装置とネットワークを介して通信可能なサーバコンピュータとからなり、各建物におけるガス漏れを検査するガス漏れ自動検査システムであって、
前記端末装置は、圧力計により測定されたガスの圧力データが入力される入力手段と、該入力手段により入力されたガスの圧力データをネットワークを介してサーバコンピュータに送信するガス圧力データ送信手段と、前記サーバコンピュータから送信されてきたガス漏れの判定結果に関する情報を受信するガス漏れ判定結果情報受信手段と、該ガス漏れ判定結果情報受信手段により受信されたガス漏れ判定結果情報を表示する表示手段とを備え、
前記サーバコンピュータは、前記端末装置からネットワークを介して送信されてきたガスの圧力データを受信するガス圧力データ受信手段と、該ガス圧力データ受信手段により受信されたガスの圧力データに基づいてガス漏れを判定するガス漏れ判定手段と、該ガス漏れ判定手段によるガス漏れの判定結果に関する情報をネットワークを介して前記端末装置に送信するガス漏れ判定結果情報送信手段とを備えることを特徴とするガス漏れ自動検査システム。
【請求項２】
前記サーバコンピュータは、各建物の保安照会情報を記憶する保安照会情報記憶手段と、前記端末装置からの要求に応じて前記保安照会情報記憶手段から該当する保安照会情報を検索する保安照会情報検索手段と、該保安照会情報検索手段により検索された保安照会情報をネットワークを介して前記端末装置に送信する保安照会情報送信手段とを備える請求項１に記載のガス漏れ自動検査システム。
【請求項３】
前記サーバコンピュータは、前記ガス漏れ判定手段によりガス漏れがないと判定した場合に、ガスメータに対して開栓指令情報を送信する開栓指令情報送信手段を備える請求項１または請求項２のいずれかに記載のガス漏れ自動検査システム。
【発明の詳細な説明】
【技術分野】
【０００１】
この発明は、各建物におけるガス漏れを自動的に検査することができるガス漏れ自動検査システムに関する。
【背景技術】
【０００２】
従来、各建物におけるガス漏れを検査するには、専用の圧力計によりガス管内の圧力を測定し、その圧力データに基づいて作業者がガスが漏れているか否を直接判定するか、あるいはその圧力データを会社等に持ち帰ったあと、ガスが漏れているか否を判定するというものであった（例えば、特許文献１参照）。
【特許文献１】特開平１１−２４８５９２号
【発明の開示】
【発明が解決しようとする課題】
【０００３】
しかしながら、上述のように作業者がガス漏れを直接判定するような検査では、専門知識を有する熟練した作業者でない限り必ずしも正確とは言い難く、また会社等で後からガス漏れを判定するような検査では、判定に時間がかかり過ぎるという問題があった。
【０００４】
この発明は、上述の問題に鑑みてなされたものであって、各建物におけるガス漏れを簡単かつ確実に自動的に検査することができるガス漏れ自動検査システムの提供を目的とする。
【課題を解決するための手段】
【０００５】
この発明は、上記目的を達成するために、各建物におけるガスの圧力を測定する圧力計と、作業者が所持する端末装置と、前記端末装置とネットワークを介して通信可能なサーバコンピュータとからなり、各建物におけるガス漏れを検査するガス漏れ自動検査システムであって、
前記端末装置は、圧力計により測定されたガスの圧力データが入力される入力手段と、該入力手段により入力されたガスの圧力データをネットワークを介してサーバコンピュータに送信するガス圧力データ送信手段と、前記サーバコンピュータから送信されてきたガス漏れの判定結果に関する情報を受信するガス漏れ判定結果情報受信手段と、該ガス漏れ判定結果情報受信手段により受信されたガス漏れ判定結果情報を表示する表示手段とを備え、
前記サーバコンピュータは、前記端末装置からネットワークを介して送信されてきたガスの圧力データを受信するガス圧力データ受信手段と、該ガス圧力データ受信手段により受信されたガスの圧力データに基づいてガス漏れを判定するガス漏れ判定手段と、該ガス漏れ判定手段によるガス漏れの判定結果に関する情報をネットワークを介して前記端末装置に送信するガス漏れ判定結果情報送信手段とを備えることを特徴とする。
【０００６】
これによれば、サーバが、各建物において測定されたガスの圧力データに基づいて、ガスが漏れている否かを一局集中的に判定するので、各建物におけるガス漏れを簡単かつ確実に自動的に検査することができる。
【０００７】
また、前記サーバコンピュータは、各建物の保安照会情報を記憶する保安照会情報記憶手段と、前記端末装置からの要求に応じて前記保安照会情報記憶手段から該当する保安照会情報を検索する保安照会情報検索手段と、該保安照会情報検索手段により検索された保安照会情報をネットワークを介して前記端末装置に送信する保安照会情報送信手段とを備えるのが好ましい。
【０００８】
これによれば、現場の作業者は、必要に応じて当該建物の保安照会情報をタイムリーに閲覧することができる。
【０００９】
また、前記サーバコンピュータは、前記ガス漏れ判定手段によりガス漏れがないと判定した場合に、ガスメータに対して開栓指令情報を送信する開栓指令情報送信手段を備えるのが好ましい。
【００１０】
これによれば、ガス漏れがないと判定された場合に、自動的にガスを開栓することができる。
【発明の効果】
【００１１】
請求項１に係る発明によれば、サーバが、各建物において測定されたガスの圧力データに基づいて、ガスが漏れている否かを一局集中的に判定するので、各建物におけるガス漏れを簡単かつ確実に自動的に検査することができる。
【００１２】
請求項２に係る発明によれば、現場の作業者は、必要に応じて当該建物の保安照会情報をタイムリーに閲覧することができる。
【００１３】
請求項３に係る発明によれば、ガス漏れがないと判定された場合に、自動的にガスを開栓することができる。
【発明を実施するための最良の形態】
【００１４】
次にこの発明の実施形態について説明する。
【００１５】
図１は、この実施形態に係るガス漏れ自動検査システムの構成概略図である。
【００１６】
図１において、（１）は消費者の建物、（２）は該建物（１）に配設されたガス管、（３）はガス管（２）内のガスの圧力を測定する圧力計、（４）は作業者（Ａ）によりネットワークに無線接続可能な端末装置、（５）は該端末装置（４）とネットワークを介して通信可能なサーバコンピュータ（以下、サーバという）である。
【００１７】
前記圧力計（３）は、図２に示すように、ガス管（２）の所定箇所、例えばガスメータの入口ガス栓（６）に低圧ゴム管（７）を介して接続され、ガス管（２）内のガスの圧力を測定するものである。なお、（８）は前記圧力計（３）に接続された二連球である。
【００１８】
この圧力計（３）によるガスの圧力の測定方法について説明すると、圧力計（３）をガスメータ入口ガス栓（６）に接続し、圧力計（３）にチャート紙等をセットする。そして、ガス管（２）の末端のガス栓を閉止し、配管中に中間閉止弁がある場合には「開」にした上、圧力計（３）の表示部を見ながら二連球にて８．４ＫＰａ〜１０ＫＰａの範囲に加圧すれば、チャート紙にガス管（２）内におけるガスの圧力値が表示される。
【００１９】
図３は、前記端末装置（４）の機能を示すブロック図である。
【００２０】
前記端末装置（４）は、いわゆるノート型パソコンやＰＤＡ（Personal DIgital Assistant）などであり、保安照会要求情報送信部（４１）、保安紹介情報受信部（４２）、ガス圧力データ送信部（４３）、ガス漏れ判定結果情報受信部（４４）、入力部（４５）、および表示部（４６）とを備える。
【００２１】
前記保安照会要求情報送信部（４１）は、前記サーバ（５）に対して保安照会を要求するために、その保安照会要求情報をネットワークを介して前記サーバ（５）に送信するものである。
【００２２】
前記保安紹介情報受信部（４２）は、前記保安照会の要求に応じて前記サーバ（５）からネットワークを介して送信されてきた保安紹介情報を受信するものである。この保安紹介情報は、保安紹介画面として前記表示部（４６）に表示される。
【００２３】
前記ガス圧力データ送信部（４３）は、前記入力部（４２）により入力されたガスの圧力データをネットワークを介して前記サーバ（５）に送信するものである。
【００２４】
前記ガス漏れ判定結果情報受信部（４４）は、前記サーバ（５）からネットワークを介して送信されてきたガス漏れの判定結果に関する情報（以下、ガス漏れ判定結果情報という）を受信するものである。このガス漏れ判定結果情報は、所定の画面で前記表示部（４６）に表示される。
【００２５】
前記入力部（４５）は、例えばキーボードなどであり、前記圧力計（３）により測定されたガスの圧力データなどが入力される。なお、入力部（４５）は、キーボードに限定されるものでなく、表示部（４６）にデータを直接入力可能なデジタルペン等であってもよい。
【００２６】
図４は、前記端末装置（４）のハードウェア構成を示すブロック図である。
【００２７】
図４において、（４０１）は各部の制御や、データの授受、種々の演算などを行う中央演算処理装置（ＣＰＵ）を有する制御部、（４０２）は各種処理を実行するためのプログラムが記録されているＲＯＭ（Read Only Memory）、（４０３）は前記制御部（４０１）が各種処理を実行するときに必要なデータやプログラムが適宜記憶されるＲＡＭ（Random Access Memory）、（４０４）は上記各送信部および受信部として機能する通信部、（４０５）は各種記憶を行うハードディスク、（４５）は各種情報を入力するための入力部、（４７）は各種画面を表示する表示部である。
【００２８】
図５は、前記サーバ（５）の機能を示すブロック図である。
【００２９】
前記サーバ（５）は、保安紹介情報記憶部（５１）、保安紹介要求情報受信部（５２）、保安紹介情報検索部（５３）、保安紹介情報送信部（５４）、ガス圧力データ受信部（５５）、ガス漏れ判定部（５６）、およびガス漏れ判定結果情報送信部（５７）を備えてなる。
【００３０】
前記保安照会情報記憶部（５１）は、各建物（１）のガスに関する保安照会情報を記憶するものである。この保安照会情報には、各建物（１）のガスに関連する情報であり、少なくともガスの圧力データやガス漏れ判定結果の履歴が含まれるのが好ましい。
【００３１】
前記保安照会要求情報受信部（５２）は、前記端末装置（４）からネットワークを介して送信されてきた保安照会要求情報を受信するものである。
【００３２】
前記保安照会情報検索部（５３）は、前記保安照会要求情報受信部（５２）により受信された保安照会要求情報に応じて、前記保安照会情報記憶部（５１）から当該建物（１）における保安照会情報を検索するものである。
【００３３】
前記前記保安照会情報送信部（５４）は、前記保安照会情報検索部（５３）により検索された保安照会情報をネットワークを介して前記端末装置（４）に送信するものである。
【００３４】
前記ガス圧力データ受信部（５５）は、前記端末装置（４）からネットワークを介して送信されてきたガスの圧力データを受信するものである。
【００３５】
前記ガス漏れ判定部（５６）は、前記ガス圧力データ受信部（５５）により受信されたガスの圧力データに基づいてガスが漏れているか否かを判定するものである。
【００３６】
前記ガス漏れ判定結果情報送信部（５７）は、前記ガス漏れ判定部（５５）によるガス漏れ判定結果情報をネットワークを介して端末装置（４）に送信するものである。
【００３７】
図６は、前記サーバ（５）のハードウェア構成を示すブロック図である。
【００３８】
図６において、（５０１）は各部の制御や、データの授受、種々の演算などを行うほか、保安照会情報検索部（５３）およびガス漏れ判定部（５６）として機能する中央演算処理装置（ＣＰＵ）を有する制御部、（５０２）は各種処理を実行するためのプログラムが記録されているＲＯＭ（Read Only Memory）、（５０３）は前記制御部（５０１）が各種処理を実行するときに必要なデータやプログラムが適宜記憶されるＲＡＭ（Random Access Memory）、（５０４）は上記各送信部および受信部として機能する通信部、（５０５）は各種記憶を行うハードディスクである。
【００３９】
次に前記ガス漏れ自動検査システムの動作について図７のフローチャートを用いて説明する。なお、以下の説明および図面において、「ステップ」を「Ｓ」と略記する。
【００４０】
まず、前記端末装置（４）は、作業者（Ａ）の操作によって前記保安照会要求情報送信部（４１）により保安照会情報をネットワークを介して前記サーバ（５）に送信する（Ｓ１）。
【００４１】
前記サーバ（５）は、前記保安照会要求情報受信部（５２）により前記端末装置（４）から送信されてきた保安照会要求情報を受信する（Ｓ２）。そして、前記保安照会情報検索部（５３）により前記保安照会情報記憶部（５１）から該当する建物（１）の保安照会情報を検索したあと（Ｓ３）、前記保安照会情報送信部（５４）によりその検索した保安照会情報をネットワークを介して前記端末装置（４）に送信する（Ｓ４）。
【００４２】
前記端末装置（４）は、前記保安照会情報受信部（４２）により前記サーバ（５）から送信されてきた保安照会情報を受信し（Ｓ５）、その受信した保安照会情報を前記表示部（４６）に表示する（Ｓ６）。
【００４３】
一方、端末装置（４）は、作業者（Ａ）によって測定された建物（１）におけるガスの圧力データが前記入力部（４５）から入力され、そのガス圧力データを前記圧力データ送信部（４３）によりネットワークを介して前記サーバ（５）に送信する（Ｓ７）。
【００４４】
前記サーバ（５）は、前記ガス圧力データ受信部（５５）により前記端末装置（４）から送信されてきたガスの圧力データを受信する（Ｓ８）。そして、前記ガス漏れ判定部（５６）により前記ガスの圧力データに基づいてガスが漏れているか否の判定を行い（Ｓ９）、そのガス漏れ判定結果情報をネットワークを介して前記端末装置（４）に送信する（Ｓ１０）。なお、このガス漏れ判定結果情報は、前記保安照会情報記憶部（５１）に記憶されるのが好ましい。
【００４５】
前記端末装置（４）は、前記ガス漏れ判定結果情報受信部（４４）により前記サーバ（５）から送信されてきたガス漏れ判定結果情報を受信し（Ｓ１１）、そのガス漏れ判定結果を前記表示部（４６）に表示する（Ｓ１２）。
【００４６】
なお、圧力計は上述のものに限定されるものではなく、ガスの圧力を測定できるものであれば、その他の構成のものであってもよい。
【００４７】
また、前記サーバコンピュータ（５）は、前記ガス漏れ判定部（５６）によりガス漏れがないと判定した場合に、図示略のガスメータに対して開栓指令情報を送信する開栓指令情報送信部が設けられていてもよい。これによれば、ガス漏れがないと判定された場合に、自動的にガスを開栓することができる。
【産業上の利用可能性】
【００４８】
この発明は、各建物のおいて測定されたガスの圧力データに基づいて、ガス漏れを自動的に検査するシステムに適用される。
【図面の簡単な説明】
【００４９】
【図１】この発明の実施形態に係るガス漏れ自動検査システムの構成概略図である。
【図２】図１の圧力計およびその周辺機器の斜視図である。
【図３】端末装置の機能を示すブロック図である。
【図４】端末装置のハードウェア構成を示す図である。
【図５】サーバの機能を示すブロック図である
【図６】サーバのハードウェア構成を示すブロック図である。
【図７】ガス漏れ自動検査システムの動作を示すフローチャートである。
【符号の説明】
【００５０】
１・・・建物
２・・・ガス管
３・・・圧力計
４・・・端末装置
５・・・サーバ
【図１】
2005043321.tif 000003
【図２】
2005043321.tif 000004
【図３】
2005043321.tif 000005
【図４】
2005043321.tif 000006
【図５】
2005043321.tif 000007
【図６】
2005043321.tif 000008
【図７】
2005043321.tif 000009